(57)【特許請求の範囲】
【請求項１】
上方に向けて開口した凹部を形成するとともに、当該凹部に排水が流入可能に構成され、かつ、流入した排水の流れ込む排水管が底部に接続されてなる、所定の設置対象部に凹設された凹部形成部と、
前記凹部を覆う位置に配置されることで当該凹部の全部又は大部分が外部から隠れた状態であるカバー状態とすることが可能である一方、前記凹部を覆う状態が解除されることで前記凹部が外部から視認可能な状態である非カバー状態とすることが可能なカバー部とを備え、
前記カバー状態及び前記非カバー状態の双方において、前記凹部へと排水が流入可能に構成された排水構造であって、
前記カバー部は、当該カバー部の外縁側に位置する回動軸にて回動可能な状態で支持されており、
前記回動軸とは反対側の外縁が上昇するように前記カバー部が回動することで、前記カバー状態から前記非カバー状態に切換可能に構成されている一方、前記回動軸とは反対側の外縁が下降するように前記カバー部が回動することで、前記非カバー状態から前記カバー状態に切換可能に構成されており、
前記非カバー状態であるときに前記カバー部を停止状態で維持可能な非カバー状態維持手段を備えることを特徴とする排水構造。
【請求項２】
前記非カバー状態維持手段は、前記カバー部を複数種類の回動角度にて停止状態で維持可能に構成されていることを特徴とする請求項１に記載の排水構造。
【請求項３】
前記カバー部に対し、前記カバー状態から前記非カバー状態へと切換える方向の付勢力を付与する付勢手段と、
前記付勢手段から加わる付勢力に抗して前記カバー部を回動が規制された状態でロック可能なロック手段とを備え、
前記カバー部の表面を押して前記非カバー状態から前記カバー状態へと切換えることで、前記ロック手段によって前記カバー部がロックされて、前記カバー状態が維持されるように構成されるとともに、
前記ロック手段に直接触れることなく、当該ロック手段による前記カバー部のロックを解除可能に構成されていることを特徴とする請求項１又は２に記載の排水構造。
【請求項４】
前記カバー部とは別に設けられた、前記カバー状態又は前記非カバー状態へと切換える際に使用者による操作対象となる操作部と、
前記カバー部を支持するとともに、前記操作部に対する操作に伴い回動可能に構成された回動駆動部とを備え、
前記カバー部は、前記回動駆動部の回動に伴い回動するように構成されていることを特徴とする請求項１又は２に記載の排水構造。
【請求項５】
前記凹部に流入した異物を捕集可能であるとともに、前記凹部の外に取外可能に構成された異物捕集部を備え、
前記カバー状態から前記非カバー状態へと切換えるように前記カバー部を回動させることで、当該カバー部に連動して前記異物捕集部が持ち上げられた状態となるように構成されていることを特徴とする請求項１乃至４のいずれか１項に記載の排水構造。
【請求項６】
前記凹部に流入した異物を捕集可能であるとともに、前記凹部の外に取外可能に構成された異物捕集部を備え、
前記カバー部の裏面には、前記非カバー状態において前記異物捕集部が係止されることで、当該異物捕集部を持ち上げた状態で維持可能な捕集部保持手段が設けられることを特徴とする請求項１乃至４のいずれか１項に記載の排水構造。
【請求項７】
前記カバー状態であるとき、前記カバー部と前記凹部形成部とが接触しないように構成されていることを特徴とする請求項１乃至６のいずれか１項に記載の排水構造。
【請求項８】
前記回動軸にて回動可能であるとともに、前記カバー部を支持する回動支持部を備え、
前記カバー部は、前記回動支持部に対し着脱自在に構成されていることを特徴とする請求項１乃至７のいずれか１項に記載の排水構造。
【発明の詳細な説明】
【技術分野】
【０００１】
本発明は、排水が流れ込む凹部を隠すためのカバー部を有してなる排水構造に関する。
【背景技術】
【０００２】
所定の設置対象部〔例えば、浴室の洗い場パンや槽体（例えば、キッチンのシンク等）〕に対し、排水の流れ込む凹部を形成するとともに、当該凹部に対応して排水構造を設置することがある。
【０００３】
このような排水構造は、前記凹部の全部又は大部分を外部から隠れた状態とすることが可能なカバー部（カバー部材）を備えている（例えば、特許文献１等参照）。カバー部を前記凹部における上側開口部に配置することで、凹部の全部又は大部分が外部から隠れた状態（カバー状態）となる。カバー状態においては、凹部に存在する汚れやごみ等の異物が使用者から視認不能又は視認困難となり、外観品質の向上が図られることになる。一方、前記凹部からカバー部を取外すことで、凹部の全部又は大部分が外部から視認可能な状態（非カバー状態）となる。非カバー状態においては、凹部に存在する異物を取除いたり、設置対象部における前記凹部を形成する部位を清掃したりすることが容易に可能となる。
【先行技術文献】
【特許文献】
【０００４】
【特許文献１】特開２０１２−２０２１２７号公報
【発明の概要】
【発明が解決しようとする課題】
【０００５】
ところで、上記のような排水構造において、カバー状態又は非カバー状態に切換えるためには、カバー部を持ち上げて移動させつつ前記凹部に置いたり、カバー部を前記凹部から外した上で持ち上げて移動させたりする必要がある。そのため、カバー状態又は非カバー状態へと容易に切換えることができず、使用者にとっての利便性が不十分となるおそれがある。また、非カバー状態としたときに、外されたカバー部が設置対象部やその周辺部分に置かれることで、カバー部の汚れや異物が当該カバー部の置かれた部分に付着して、衛生性や清掃性の低下を招くおそれがある。
【０００６】
本発明は、上記事情に鑑みてなされたものであり、その目的は、カバー状態又は非カバー状態へと容易に切換可能であるとともに、衛生性や清掃性の向上を図ることができる排水構造を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．上方に向けて開口した凹部を形成するとともに、当該凹部に排水が流入可能に構成され、かつ、流入した排水の流れ込む排水管が底部に接続されてなる、所定の設置対象部に凹設された凹部形成部と、
前記凹部を覆う位置に配置されることで当該凹部の全部又は大部分が外部から隠れた状態であるカバー状態とすることが可能である一方、前記凹部を覆う状態が解除されることで前記凹部が外部から視認可能な状態である非カバー状態とすることが可能なカバー部とを備え、
前記カバー状態及び前記非カバー状態の双方において、前記凹部へと排水が流入可能に構成された排水構造であって、
前記カバー部は、当該カバー部の外縁側に位置する回動軸にて回動可能な状態で支持されており、
前記回動軸とは反対側の外縁が上昇するように前記カバー部が回動することで、前記カバー状態から前記非カバー状態に切換可能に構成されている一方、前記回動軸とは反対側の外縁が下降するように前記カバー部が回動することで、前記非カバー状態から前記カバー状態に切換可能に構成されており、
前記非カバー状態であるときに前記カバー部を停止状態で維持可能な非カバー状態維持手段を備えることを特徴とする排水構造。
【０００９】
上記手段１によれば、カバー部は、その外縁側に位置する回動軸にて回動可能な状態で支持されている。そして、前記回動軸とは反対側の外縁が上昇するようにカバー部が回動することで、カバー状態から非カバー状態に切換わり、一方、前記回動軸とは反対側の外縁が下降するようにカバー部が回動することで、非カバー状態からカバー状態に切換わるようになっている。このようにカバー部を回動させることでカバー状態又は非カバー状態へと切換わるため、カバー状態又は非カバー状態へと切換えるにあたって、カバー部を持ち上げて移動させつつ前記凹部に置いたり、カバー部を前記凹部から外した上で持ち上げて移動させたりする必要がなくなる。これにより、カバー状態又は非カバー状態へと容易に切換えることが可能となり、使用者にとっての利便性を高めることができる。
【００１０】
また、上記手段１によれば、カバー状態又は非カバー状態へと切換えるにあたって、カバー部を外す必要はないから、外されたカバー部が設置対象部やその周辺部分に置かれることをより確実に防止できる。従って、カバー部における汚れや異物が当該カバー部の置かれた部分に付着するといった事態を抑えることができ、衛生性や清掃性の向上を図ることができる。
【００１１】
さらに、上記手段１によれば、手などを使うことなく、非カバー状態維持手段によって、カバー部を停止状態で維持して、非カバー状態を保つことができる。従って、凹部に存在する異物を取除いたり、凹部形成部を清掃したりすること等をより容易に行うことが可能となり、使用者にとっての利便性を一層高めることができる。
【００１２】
手段２．前記非カバー状態維持手段は、前記カバー部を複数種類の回動角度にて停止状態で維持可能に構成されていることを特徴とする手段１に記載の排水構造。
【００１３】
上記手段２によれば、非カバー状態維持手段は、カバー部を複数種類の回動角度にて停止状態で維持可能とされている。従って、凹部形成部及びカバー部間に形成される隙間の開放程度について、複数の異なる程度で保つことができる。これにより、例えば、若干の前記隙間が形成される状態でカバー部を停止させることにより、凹部が外部から多少視認可能となるもののカバー部によって凹部をある程度隠しつつ、凹部へとごみ等や排水がより円滑に流れ込むようにすることや、美観をさほど損ねることなく、凹部内を比較的乾燥しやすい状態で維持すること等が可能となる。そのため、非カバー状態においてカバー部の回動角度を調節不能な構成と比べて、排水構造の使用方法に係る幅を広げることができる。その結果、使用者にとっての利便性を一段と向上させることができる。
【００１４】
尚、カバー部の停止角度については、連続的に調節可能であってもよいし、段階的に調節可能であってもよい。
【００１５】
手段３．前記カバー部に対し、前記カバー状態から前記非カバー状態へと切換える方向の付勢力を付与する付勢手段と、
前記付勢手段から加わる付勢力に抗して前記カバー部を回動が規制された状態でロック可能なロック手段とを備え、
前記カバー部の表面を押して前記非カバー状態から前記カバー状態へと切換えることで、前記ロック手段によって前記カバー部がロックされて、前記カバー状態が維持されるように構成されるとともに、
前記ロック手段に直接触れることなく、当該ロック手段による前記カバー部のロックを解除可能に構成されていることを特徴とする手段１又は２に記載の排水構造。
【００１６】
上記手段３によれば、カバー部の表面を押して非カバー状態からカバー状態へと切換えることで、ロック手段によりカバー部をロックして、カバー状態を維持することができる。従って、意図せずカバー部が回動して、カバー状態が解除されるといった事態をより確実に防止することができる。
【００１７】
また、上記手段３によれば、ロック手段によるカバー部のロックを解除することで、付勢手段から加わる付勢力によって、カバー状態から非カバー状態へと切換えることができる。従って、カバー部に対し、カバー状態から非カバー状態へと切換えるための力を使用者が加えずに済む。これにより、カバー状態から非カバー状態へと一層容易に切換えることができ、使用者にとっての利便性をより一層向上させることができる。
【００１８】
さらに、上記手段３によれば、例えばカバー部に所定の操作を加えること等によって、ロック手段に直接触れることなく、当該ロック手段によるカバー部のロックを解除することができる。従って、カバー部のロック解除を比較的容易に行うことができる。
【００１９】
手段４．前記カバー部とは別に設けられた、前記カバー状態又は前記非カバー状態へと切換える際に使用者による操作対象となる操作部と、
前記カバー部を支持するとともに、前記操作部に対する操作に伴い回動可能に構成された回動駆動部とを備え、
前記カバー部は、前記回動駆動部の回動に伴い回動するように構成されていることを特徴とする手段１又は２に記載の排水構造。
【００２０】
尚、「前記操作部に対する操作に伴い回動可能に構成された回動駆動部」とあるのは、例えば、操作部に加えられた操作力によって回動するものや、操作部に対する操作を契機としてモータ等の通電動作部で生じた力によって回動するもの、操作部に対する操作を契機としてばね等の動力発生部で生じた力によって回動するもの等をいう。
【００２１】
上記手段４によれば、操作部を操作することで回動駆動部が回動し、その結果、この回動駆動部に支持されたカバー部が回動して、カバー状態又は非カバー状態へと切換えられるようになっている。従って、カバー状態又は非カバー状態へと切換えるにあたって、汚れや異物の付着しやすいカバー部を直接触れずに済み、衛生性や安全性を高めることができる。また、操作部の設置位置を適切に設定することで、カバー部を操作対象とする場合と比べて、カバー状態又は非カバー状態への切換えに係る操作性をより向上させることができる。
【００２２】
手段５．前記凹部に流入した異物を捕集可能であるとともに、前記凹部の外に取外可能に構成された異物捕集部を備え、
前記カバー状態から前記非カバー状態へと切換えるように前記カバー部を回動させることで、当該カバー部に連動して前記異物捕集部が持ち上げられた状態となるように構成されていることを特徴とする手段１乃至４のいずれかに記載の排水構造。
【００２３】
上記手段５によれば、カバー状態から非カバー状態へと切換えるようにカバー部を回動させることで、カバー部に連動して異物捕集部を上昇させて持ち上げられた状態とすることができる。従って、異物捕集部に集積した異物の除去や異物捕集部の清掃などを行うときにおいて異物捕集部を凹部の外へと取外したい場合には、カバー部を回動させて非カバー状態とする必要があるが、上記手段５によれば、非カバー状態となるようにカバー部を回動させれば、自然と異物捕集部を凹部の外へと取外しやすい状態とすることができる。これにより、異物捕集部の取外しが非常に容易となり、利便性をより一層向上させることができる。
【００２４】
また、異物捕集部を取外す際に、使用者が当該異物捕集部の設置部位（載置部位）やその周辺部に触れてしまうことをより確実に防止でき、より良好な衛生性や安全性を得ることができる。
【００２５】
さらに、カバー部を非カバー状態で維持することにより、異物捕集部を持ち上げた状態（設置部位から浮かせた状態）で維持することができる。従って、カバー部や凹部形成部、異物捕集部などを乾燥させたいときにおいて、カバー部を非カバー状態として異物捕集部を浮かせることで、これらを乾燥させることが容易に可能となる。また、異物捕集部を排水構造の周囲などに置いて乾燥させる場合には、異物捕集部の置き場所を確保する必要があるが、上記手段５によれば、その必要がなくなるため、使用者にとっての利便性をより高めることができる。
【００２６】
手段６．前記凹部に流入した異物を捕集可能であるとともに、前記凹部の外に取外可能に構成された異物捕集部を備え、
前記カバー部の裏面には、前記非カバー状態において前記異物捕集部が係止されることで、当該異物捕集部を持ち上げた状態で維持可能な捕集部保持手段が設けられることを特徴とする手段１乃至４のいずれかに記載の排水構造。
【００２７】
上記手段６によれば、捕集部保持手段により、異物捕集部を持ち上げた状態（設置部位から浮かせた状態）で維持することができる。従って、カバー部や凹部形成部、異物捕集部などを乾燥させたいときにおいて、カバー部を非カバー状態としつつ異物捕集部を浮かせることで、これらを乾燥させることが容易に可能となる。
【００２８】
また、異物捕集部を排水構造の周囲などに置いて乾燥させる場合には、異物捕集部の置き場所を確保する必要があるが、上記手段６によれば、その必要がなくなるため、使用者にとっての利便性をより高めることができる。
【００２９】
手段７．前記カバー状態であるとき、前記カバー部と前記凹部形成部とが接触しないように構成されていることを特徴とする手段１乃至６のいずれかに記載の排水構造。
【００３０】
従来のカバー部は、通常、カバー状態において、所定部分（例えば四隅に形成された脚部）が凹部形成部と接触することで、当該凹部形成部により支持された状態で設置されている。しかしながら、このような設置状態では、カバー部と凹部形成部との接触部に異物が引っ掛かって留まりやすくなる。そのため、清掃時などにおいて、使用者がこの異物に対する処理を別途行う手間が生じてしまい、利便性の低下を招くおそれがある。
【００３１】
この点、上記手段７によれば、カバー状態においてカバー部と凹部形成部とが接触しないため、上記のように異物が留まるといった事態をより確実に防止できる。その結果、使用者にとっての利便性を一層高めることができる。
【００３２】
また、上記手段７によれば、排水の流れ阻害を生じにくくすることができ、より良好な排水性能を得ることができる。
【００３３】
手段８．前記回動軸にて回動可能であるとともに、前記カバー部を支持する回動支持部を備え、
前記カバー部は、前記回動支持部に対し着脱自在に構成されていることを特徴とする手段１乃至７のいずれかに記載の排水構造。
【００３４】
上記手段８によれば、カバー部は回動支持部に対し着脱自在とされている。従って、回動支持部からカバー部を取外して、カバー部を単体の状態で清掃することができ、利便性を一層向上させることができる。また、仮にカバー部に破損などが生じたときには、破損等に対する対応処理（例えばカバー部の修理や交換作業）をより容易なものとすることができる。さらに、排水構造の周囲環境や使用者のニーズなどに合わせて、色やデザイン等の異なるカバー部を適宜変更して利用することも可能となる。
【図面の簡単な説明】
【００３５】
【図１】第１実施形態において、“カバー状態”における排水構造の斜視図である。
【図２】図１のＪ−Ｊ線断面図である。
【図３】図１のＫ−Ｋ線断面図である。
【図４】第１実施形態において、カバー部を取外した状態における排水構造の斜視図である。
【図５】第１実施形態において、“非カバー状態”における排水構造の斜視図である。
【図６】第１実施形態において、“非カバー状態”における排水構造の断面図である。
【図７】第１実施形態において、“非カバー状態”における排水構造の断面図である。
【図８】第２実施形態において、“カバー状態”における排水構造の斜視図である。
【図９】図８のＬ−Ｌ線断面図である。
【図１０】図９のＭ−Ｍ線断面図である。
【図１１】第２実施形態において、カバー部を取外した状態における排水構造の斜視図である。
【図１２】第２実施形態において、“非カバー状態”の排水構造の斜視図である。
【図１３】第２実施形態において、“非カバー状態”の排水構造の断面図である。
【図１４】第２実施形態における操作装置の断面図である。
【図１５】第３実施形態において、“カバー状態”における排水構造の断面図である。
【図１６】第３実施形態において、“非カバー状態”の排水構造の斜視図である。
【図１７】第３実施形態において、“非カバー状態”の排水構造の断面図である。
【図１８】別の実施形態における排水構造の断面図である。
【図１９】別の実施形態において、“カバー状態”における排水構造の断面図である。
【図２０】別の実施形態において、“非カバー状態”の排水構造の断面図である。
【図２１】別の実施形態において、“カバー状態”における排水構造の断面図である。
【図２２】別の実施形態において、支持回動ユニットのみを示す図２１のＮ―Ｎ線断面図である。
【図２３】別の実施形態において、“非カバー状態”の排水構造の断面図である。
【図２４】別の実施形態において、“カバー状態”における排水構造の断面図である。
【図２５】別の実施形態において、“非カバー状態”の排水構造の断面図である。
【図２６】別の実施形態におけるカバー部の斜視図である。
【図２７】別の実施形態における凹部形成部等の斜視図である。
【図２８】別の実施形態における回動駆動部やカバー部等を示す部分拡大断面図である。
【発明を実施するための形態】
【００３６】
以下に、実施形態について図面を参照しつつ説明する。
〔第１実施形態〕
図１に示すように、排水構造１は、設置対象部としての浴室の洗い場パン１００（以下、単に「洗い場パン１００」という）に設けられている。排水構造１は、後述するカバー部４等に加えて、洗い場パン１００に形成された凹部形成部１０２を備えている。ここでは、まず、洗い場パン１００の構成について説明する。
【００３７】
洗い場パン１００は、図２，３に示すように、床基部１０１及び凹部形成部１０２を備えている。床基部１０１は、浴室における洗い場床部の大部分を構成する部位である。図示は省略するが、床基部１０１の上面の大部分には、凹部形成部１０２に向けて徐々に下がる緩やかな傾斜が設けられている。
【００３８】
凹部形成部１０２は、浴槽（図示せず）と隣接する位置にて凹設されており、第一垂下部１０３、中間段部１０４、第二垂下部１０５及び底部１０６を備えている。
【００３９】
第一垂下部１０３は、床基部１０１から垂下しており、全体として平面視矩形状の環状をなしている。中間段部１０４は、第一垂下部１０３の下端部からほぼ水平方向に突出している。中間段部１０４の少なくとも一部における上面は、後述する排水管２側に向けて排水を円滑に流すために、排水管２側に向けて徐々に下がる形状をなしている。また、中間段部１０４のうち前記浴槽とは反対側に位置する二隅には、平坦面状の受け部１０４ａが形成されている。
【００４０】
第二垂下部１０５は、中間段部１０４の内周部から下方に向けて垂下しており、円筒状をなしている。底部１０６は、凹部形成部１０２の底を構成する部位であり、第二垂下部１０５の下端部から水平方向に突出している。また、底部１０６の中央部には、排水口１０７が鉛直方向に貫通形成されている。
【００４１】
加えて、第一垂下部１０３、中間段部１０４、第二垂下部１０５及び底部１０６で囲まれた凹部形成部１０２の内部空間によって、上方に向けて開口した凹部１０８が形成されている。そして、上述の通り、床基部１０１に前記傾斜が設けられていることにより、排水は凹部１０８に自然と流入するようになっている。
【００４２】
次いで、排水構造１のうち凹部形成部１０２とは別の部位について説明する。排水構造１は、排水管２、操作支持ユニット３及びカバー部４を備えている。
【００４３】
排水管２は、凹部１０８に流入した排水の流出路として機能する部品である。排水管２は、全体として円筒状をなしており、その一端部（上端部）において径方向外側に突出形成された鍔部２１と、当該鍔部２１よりも下方の外周に形成された雄ねじ部２２とを備えている。そして、排水口１０７に排水管２を挿通しつつ雄ねじ部２２を図示しない所定の配管（例えば排水トラップ）に螺合し、鍔部２１及び前記配管により底部１０６を挟み込むことで、排水管２が底部１０６に接続された状態となっている。
【００４４】
尚、本実施形態において、鍔部２１及び底部１０６間には、弾性変形可能な材料（例えば、樹脂やゴム等）により形成された環状のシール部材５が配置されている。当該シール部材５によって、排水管２及び底部１０６間からの漏水防止が図られている。また、鍔部２１の外周面は、第二垂下部１０５に対しほぼ隙間のない状態で近接配置されており、その結果、鍔部２１及び第二垂下部１０５間における異物や汚れの付着防止が図られている。
【００４５】
操作支持ユニット３は、カバー部４を動作させる際の操作対象を備えるとともに、カバー部４の支持部として機能する機構である。操作支持ユニット３は、中間段部１０４上であって第一垂下部１０３のうち前記浴槽側に位置する部位（一辺）の中央部に隣接配置されている（図４参照）。操作支持ユニット３は、図２〜４に示すように、ケース部３１、回動駆動部３２、操作部３３及び回動規制機構３４を備えている。本実施形態において、回動駆動部３２は「回動支持部」にも相当する。
【００４６】
ケース部３１は、回動駆動部３２の中間部、操作部３３及び回動規制機構３４を内部に収容するとともに、凹部形成部１０２に対する操作支持ユニット３の取付部として機能する。ケース部３１は、例えばねじ止め等の既知の取付手法を用いて、凹部形成部１０２に取付けられている（但し、この取付手法に関する部分は不図示）。ケース部３１は、回動駆動部３２の両端部や後述する被押圧部３３ｂをケース部３１外に露出させるための複数の孔部を備えるとともに、回動駆動部３２を回動可能な状態で支持している。
【００４７】
回動駆動部３２は、カバー部４を支持するとともに、操作部３３に対する操作により生じた駆動力（本実施形態では、操作部３３に加えられた操作力）が付与されることで回動する。回動駆動部３２は、全体として円柱状をなしており、その両端部がケース部３１外に突出した状態で設置されている。
【００４８】
回動駆動部３２は、歯車部３２ａ、第一切欠部３２ｂ、第二切欠部３２ｃ及び一対の連結部３２ｄを備えている。歯車部３２ａは、回動駆動部３２における長手方向中央部外周であって回動駆動部３２の周方向に沿った一定の範囲に形成されており、ケース部３１内に配置されている。
【００４９】
第一切欠部３２ｂ及び第二切欠部３２ｃは、回動駆動部３２のうち当該回動駆動部３２の回動軸方向に沿って歯車部３２ａから若干ずれた位置に形成されている。第一切欠部３２ｂ及び第二切欠部３２ｃは、回動駆動部３２の周方向に沿って所定距離だけ離れた位置にそれぞれ存在している。
【００５０】
連結部３２ｄは、回動駆動部３２における長手方向端部に形成されており、回動駆動部３２の回動軸方向に沿って見たとき、平行な二辺とこれら二辺を繋ぐ２つの円弧とを備えた形状をなしている。連結部３２ｄは、カバー部４と連結されている。これにより、回動駆動部３２の回動に伴い、カバー部４が回動するようになっている。
【００５１】
操作部３３は、カバー部４を回動させる際において、すなわち、後述する“非カバー状態”へと切換える際において、使用者による操作対象として機能するとともに、加えられた操作力を回動駆動部３２へと伝える役割を有する。操作部３３は、カバー部４とは別に設けられており、上下方向に往復移動可能な状態でケース部３１内に挿通設置されている。操作部３３は、ラック構成部３３ａ及び被押圧部３３ｂを備えている。
【００５２】
ラック構成部３３ａは、操作部３３の往復移動方向に沿って並んだ複数の歯を備えており、歯車部３２ａに噛合されている。
【００５３】
被押圧部３３ｂは、操作部３３におけるその往復移動方向に沿った一端面（上面）により構成されており、ケース部３１の上面に露出している。被押圧部３３ｂは、カバー部４を回動させる際において、使用者によって押圧操作される部位であり、被押圧部３３ｂを押圧することで操作部３３が往動（下動）し、その結果、回動駆動部３２が回動する。
【００５４】
回動規制機構３４は、それぞれ後述する“カバー状態”及び“非カバー状態”において、カバー部４を停止状態で維持するための機構である。本実施形態では、回動規制機構３４が「非カバー状態維持手段」を構成する。回動規制機構３４は、ピン３４ａ及びピン押圧ばね３４ｂを備えている。
【００５５】
ピン３４ａは、ケース部３１内にて往復移動可能な状態で設置されており、先端部が前記切欠部３２ｂ，３２ｃに配置可能に構成されている。ピン押圧ばね３４ｂは、圧縮状態で設けられており、回動駆動部３２の外周に向けてピン３４ａを押し付けるためのものである。
【００５６】
カバー部４は、凹部１０８を覆い、凹部１０８の全部又は大部分（本実施形態では、大部分）を外部から隠れた状態（視認不能又は視認困難な状態）とするための部品である。カバー部４は、図５に示すように、カバー本体部４１及び被連結部４２を備えている。
【００５７】
カバー本体部４１は、矩形板状をなしており、上述した凹部１０８を隠す役割を主に担う部位である。カバー本体部４１の裏面（凹部１０８側に位置する面）であって後述するカバー部４の回動軸とは反対側に位置する部位には、一対の脚部４１ａが突出形成されている。
【００５８】
被連結部４２は、カバー本体部４１の端縁側中央部における裏面から一対突出形成されており、連結部３２ｄが配置される連結用スリット４２ａを備えている。そして、連結用スリット４２ａに対し連結部３２ｄが挿通されることにより、カバー部４が連結部３２ｄに対し回動不能な状態で連結されている。これにより、カバー部４は、当該カバー部４の外縁側に位置する回動軸（本実施形態では、回動駆動部３２の回動軸）にて回動可能に支持された状態となっている。
【００５９】
また、本実施形態では、連結用スリット４２ａから連結部３２ｄが引き抜かれるようにカバー部４を移動させることで、特段の工具などを用いることなく、カバー部４を連結部３２ｄから取外可能となっている。従って、カバー部４は、回動駆動部３２に対し着脱自在となっている。尚、カバー部４を取外すことで、カバー部４や凹部形成部１０２の清掃等を容易に行うことが可能である。
【００６０】
さて、上述した排水構造１においては、カバー部４が凹部１０８を覆う位置（凹部１０８の開口部を閉じる位置）に配置されることで、当該凹部１０８の全部又は大部分が外部から隠れた状態である“カバー状態”（図１〜３参照）とすることができる。本実施形態では、“カバー状態”において、カバー本体部４１のうち、操作支持ユニット３とは反対側に位置する外縁と、当該外縁と直交する平行な２つの外縁とが、第一垂下部１０３の内面に近接設置されるようになっており、凹部１０８を隠す機能がより効果的に発揮されるようになっている。
【００６１】
また、“カバー状態”においては、カバー部４の表面と床基部１０１の表面（特にカバー部４側に位置する面）とが略面一（ほぼ同じ高さ）となり、美観の向上が図られるとともに、浴室を利用する使用者にとってカバー部４が邪魔にならないように構成されている（図２，３参照）。
【００６２】
さらに、“カバー状態”では、第一切欠部３２ｂにロックピン３４ａの先端部が配置された状態となることで、回動駆動部３２ひいてはカバー部４の回動が規制され、カバー部４が停止状態で維持されるようになっている。そして、“カバー状態”では、カバー部４と凹部形成部１０２とが接触しない状態となる。尚、本実施形態では、“非カバー状態”においても、カバー部４と凹部形成部１０２とが接触しない状態となる。但し、本実施形態では、“カバー状態”において、カバー部４を踏み付けたりカバー部４に重量物を載置したりすること等により、カバー部４に対し下向きの大きな力が加わった場合には、カバー部４が僅かに回動して、中間段部１０４（受け部１０４ａ）へと脚部４１ａが接触する。これにより、カバー部４における被支持部分側や回動駆動部３２に加わる負荷の軽減が図られ、カバー部４等における破損や変形をより確実に防止可能となっている。
【００６３】
一方、“カバー状態”においては、被押圧部３３ｂを押圧することで、第一切欠部３２ｂからロックピン３４ａの先端部が外れるとともに、カバー部４がその回動軸とは反対側の外縁を上昇させるようにして回動し、その結果、凹部１０８を覆う状態が解除される。これにより、“カバー状態”から、凹部１０８の全部又は大部分（本実施形態では大部分）が外部から視認可能な状態である“非カバー状態”（図５〜７参照）へと切換えることができる。そして、“非カバー状態”では、第二切欠部３２ｃにロックピン３４ａの先端部が配置された状態となることで、回動駆動部３２ひいてはカバー部４の回動が規制され、カバー部４が停止状態で維持されることとなる。
【００６４】
また、本実施形態では、“カバー状態”において、凹部１０８からカバー部４が取外不可となるように、回動駆動部３２（連結部３２ｄ）や被連結部４２（連結用スリット４２ａ）が構成されている。
【００６５】
尚、本実施形態では、例えばカバー部４の表面を押すこと等により、前記回動軸とは反対側の外縁が下降するようにカバー部４を回動させることで、“非カバー状態”から“カバー状態”へと切換えることが可能である。
【００６６】
また、本実施形態では、“カバー状態”及び“非カバー状態”の双方において（“カバー状態”及び“非カバー状態”のいずれであっても）、凹部１０８へと排水が流入可能となっている。つまり、カバー部４は、浴槽などに設けられる栓蓋と異なり、排水可能状態と排水不能状態とを切換えるといった機能を備えないものである。
【００６７】
以上詳述したように、本実施形態によれば、カバー部４を回動させることで“カバー状態”又は“非カバー状態”へと切換えることができる。そのため、“カバー状態”又は“非カバー状態”へと切換えるにあたって、カバー部４を持ち上げて移動させつつ凹部１０８に置いたり、カバー部４を凹部１０８から外した上で持ち上げて移動させたりする必要がなくなる。これにより、“カバー状態”又は“非カバー状態”へと容易に切換えることが可能となり、使用者にとっての利便性を高めることができる。
【００６８】
また、“カバー状態”又は“非カバー状態”へと切換えるにあたって、カバー部４を外す必要はないから、外されたカバー部４が洗い場パン１００やその周辺部分に置かれることをより確実に防止できる。従って、カバー部４における汚れや異物が当該カバー部４の置かれた部分に付着するといった事態を抑えることができ、衛生性や清掃性の向上を図ることができる。
【００６９】
加えて、回動規制機構３４によって、手などを使うことなく、カバー部４を停止状態で維持して、“非カバー状態”を保つことができる。従って、凹部１０８に存在する異物を取除いたり、凹部形成部１０２を清掃したりすること等をより容易に行うことが可能となり、使用者にとっての利便性を一層高めることができる。
【００７０】
さらに、操作部３３を操作することで、“非カバー状態”へと切換えることができる。従って、“非カバー状態”へと切換えるにあたって、汚れや異物の付着しやすいカバー部４を直接触れずに済み、衛生性や安全性を高めることができる。
【００７１】
また、“カバー状態”においてカバー部４と凹部形成部１０２とが接触しないため、カバー部４と凹部接触部１０２との接触部に異物が引っ掛かって留まるといった事態をより確実に防止できる。その結果、清掃時などにおいて、このような異物を別途取除く手間がなくなり、使用者にとっての利便性を一層高めることができる。さらに、排水の流れ阻害を生じにくくすることができ、より良好な排水性能を得ることができる。
【００７２】
加えて、カバー部４は回動駆動部３２に対し着脱自在とされている。従って、回動駆動部３２からカバー部４を取外して、カバー部４を単体の状態で清掃することができ、利便性を一層向上させることができる。また、仮にカバー部４に破損などが生じたときには、破損等に対する対応処理（例えばカバー部４の修理や交換作業）をより容易なものとすることができる。さらに、排水構造１の周囲環境や使用者のニーズなどに合わせて、色やデザイン等の異なるカバー部４を適宜変更して利用することも可能となる。
【００７３】
併せて、“カバー状態”において凹部１０８からカバー部４が取外不可とされるため、排水等の影響によってカバー部４が浮いて凹部１０８から外れることを防止できる。また、凹部１０８からの外れ防止のためにカバー部４の重量を増大させる必要がなくなり、カバー部４の軽量化を図ることができる。
〔第２実施形態〕
次いで、第２実施形態について説明する。本第２実施形態において、排水構造１１は、図８に示すように、設置対象部としてのキッチンのシンク１１０（以下、単に「シンク１１０」という）に設けられている。排水構造１１は、後述するカバー部１７等に加えて、シンク１１０に形成された凹部形成部１１２を備えている。ここでは、まず、シンク１１０の構成について説明する。
【００７４】
シンク１１０は、基部１１１及び凹部形成部１１２を備えている。基部１１１は、シンク１１０の底部の大部分を構成する部位である。図示は省略するが、基部１１１の上面の大部分には、凹部形成部１１２に向けて徐々に下がる緩やかな傾斜が設けられている。
【００７５】
凹部形成部１１２は、図９に示すように、第一垂下部１１３、中間段部１１４、第二垂下部１１５及び底部１１６を備えている。第一垂下部１１３、中間段部１１４、第二垂下部１１５及び底部１１６は、上記第１実施形態における第一垂下部１０３、中間段部１０４、第二垂下部１０５及び底部１０６とほぼ同様の構成を有している。但し、本第２実施形態では、第一垂下部１１３に対し、後述する支持回動ユニット１６を設置するための取付孔１１３ａが貫通形成されている。また、第一垂下部１１３における中間段部１１４の二隅に対応する部位には、“カバー状態”において後述するカバー部１７に対し下向きの大きな力が加わり当該カバー部１７が僅かに回動した場合に、当該カバー部１７と接触してこれを支持する受け部１１３ｂが形成されている。
【００７６】
そして、第一垂下部１１３、中間段部１１４、第二垂下部１１５及び底部１１６によって、上方に開口する凹部１１８が形成されており、上述の通り、基部１１１に前記傾斜が設けられていることによって、排水は凹部１１８に自然と流入するようになっている。また、底部１１６には、上記第１実施形態と同様に、排水口１１７が貫通形成されている。
【００７７】
次いで、排水構造１１のうち凹部形成部１１２とは別の部位について説明する。排水構造１１は、排水管１２、異物捕集部１３（図１１，１２では不図示）、操作装置１４（図１４参照）、伝達部材１５、支持回動ユニット１６及びカバー部１７を備えている。
【００７８】
排水管１２は、上記第１実施形態における排水管２と同様の機能を備えるものであり、鍔部１２ａ及び雄ねじ部１２ｂ（図９等ではねじ形状を不図示）を具備している。そして、上記第１実施形態と同様、図示しない配管（例えば排水トラップ）を利用することで、排水管１２が底部１１６に接続された状態となっている。尚、図示は省略するが、鍔部１２ａ及び底部１１６間や配管１２及び底部１１６間には、漏水防止のためのシール部材が設けられている。
【００７９】
異物捕集部１３は、凹部１１８に設置されて使用されるものであり、凹部１１８に流入した異物（ごみ等）を捕集する。異物捕集部１３は、収容部１３ａ及び載置鍔部１３ｂを備えている。
【００８０】
収容部１３ａは、内部に異物が集積される部位であり、多数の通水孔（不図示）が貫通形成された籠状をなしている。載置鍔部１３ｂは、収容部１３ａにおける上端部から外側に突出する鍔状をなしている。
【００８１】
本第２実施形態において、異物捕集部１３は、通常、収容部１３ａが第二垂下部１１５の内側に収められつつ、載置鍔部１３ｂが凹部形成部１１２（中間段部１１４）に載置された状態となることで、凹部１１８に設置されるようになっている。但し、異物捕集部１３の清掃などを行う場合には、異物捕集部１３を持ち上げて凹部１１８外へと移動させることで、凹部１１８の外へと異物捕集部１３を取外可能である。
【００８２】
操作装置１４は、カバー部１７を回動させる際の操作対象を備えた装置である。操作装置１４は、図１４に示すように、カバー部１７からやや離間した部位〔本実施形態では、キッチンのカウンタ１１９のうち、シンク１１０へと水を供給する吐水装置（不図示）の近傍部位〕に設置されている。操作装置１４は、往復移動可能な棒状の操作部１４ａを備えている。
【００８３】
操作部１４ａは、カバー部１７を回動させる際において、すなわち、“カバー状態”又は“非カバー状態”へと切換える際において、使用者による操作対象となる部位である。操作部１４ａの端部には伝達部材１５が連結されており、操作部１４ａの往復移動に伴い伝達部材１５が往復移動可能となっている。
【００８４】
伝達部材１５は、操作部１４ａに対する操作に伴い生じた駆動力（本第２実施形態では、操作部１４ａに加えられた操作力）をカバー部１７側へと伝達する。伝達部材１５は、例えば金属製のワイヤ等により構成されており、図９に示すように、筒状のチューブ部材１８の内周に往復移動可能な状態で配置されている。チューブ部材１８の一端部は、支持回動ユニット１６（後述するチューブ保持部材１６５）に取付けられている。一方、チューブ部材１８の他端部は、操作装置１４に取付けられている（図１４参照）。
【００８５】
支持回動ユニット１６は、カバー部１７を回動可能な状態で支持しつつ、操作部１４ａ（伝達部材１５）側から加わる駆動力を利用してカバー部１７を回動させるための機構である。支持回動ユニット１６は、第一垂下部１１３のうち、キッチンの使用者から見て奥側に位置する部位（一辺）の中央部に設置されている（図１１参照）。支持回動ユニット１６は、図９〜１１に示すように、ケース部１６１、回動駆動部１６２、停止状態維持部１６３、末端伝達部１６４及びチューブ保持部材１６５を備えている。本実施形態において、回動駆動部１６２は「回動支持部」にも相当する。
【００８６】
ケース部１６１は、回動駆動部１６２の中間部及び停止状態維持部１６３等を内部に収容するとともに、凹部形成部１１２に対する支持回動ユニット１６の取付部として機能する。ケース部１６１は、凹部配置部１６１ａ及び取付孔配置部１６１ｂを備えている。
【００８７】
凹部配置部１６１ａは、回動駆動部１６２及び停止状態維持部１６３等を収容するとともに、凹部１１８に配置される部位である。凹部配置部１６１ａには所定の貫通孔が形成されており、当該貫通孔を通して回動駆動部１６２の両端部がケース部１６１外に突出した状態となっている。
【００８８】
取付孔配置部１６１ｂは、凹部配置部１６１ａから突出形成された円筒状をなし、チューブ保持部材１６５を収容するとともに、取付孔１１３ａに挿通配置される部位である。取付孔配置部１６１ｂの外周には所定の雄ねじが形成されている。そして、当該雄ねじを所定のナット部材１６６の内周に形成された雌ねじに螺合し、凹部配置部１６１ａ及び前記ナット部材１６６によって凹部形成部１１２を挟み込んだ状態とすることで、支持回動ユニット１６が凹部形成部１１２に取付けられた状態となっている。尚、凹部配置部１６１ａ及び凹部形成部１１２間には、取付孔１１３ａを通った漏水を防止するためのシール部材１９が設けられている。
【００８９】
回動駆動部１６２は、カバー部１７を支持するとともに、操作部１４ａに対する操作により生じた駆動力（本第２実施形態では、操作部１４ａに加えられた操作力）が付与されることで回動する。回動駆動部１６２は、ケース部１６１（凹部配置部１６１ａ）によって回動可能な状態で支持されており、歯車部１６２ａ及び一対の連結部１６２ｂを備えている。
【００９０】
歯車部１６２ａは、回動駆動部１６２における長手方向中央部外周であって回動駆動部１６２の周方向に沿った一定の範囲に形成されている。本第２実施形態において、回動駆動部１６２における歯車部１６２ａの形成された部位は、回動駆動部１６２における当該歯車部１６２ａに隣接する部位よりも小径とされている。これは、末端伝達部１６４との相互作用によって、ケース部１６１からの回動駆動部１６２の抜止めを図るためである。
【００９１】
連結部１６２ｂは、回動駆動部１６２における長手方向端部に形成されており、上記第１実施形態と同様に、回動駆動部１６２の回動軸方向に沿って見たとき、平行な二辺とこれら二辺を繋ぐ２つの円弧とを備えた形状をなしている。連結部１６２ｂは、カバー部１７と連結されている。これにより、回動駆動部１６２の回動に伴い、カバー部１７が回動する。
【００９２】
停止状態維持部１６３は、回動駆動部１６２が極めて容易に回動することを防止して、回動駆動部１６２ひいてはカバー部１７を停止状態で維持するための部位である。本第２実施形態において、停止状態維持部１６３は、樹脂やゴム等からなり、回動駆動部１６２の外周に取付けられた複数（２つ）のＯリングにより構成されている。停止状態維持部１６３は、ケース部１６１及び回動駆動部１６２で挟み込まれた状態となっており、ケース部１６１等との間で生じる摩擦力を利用して、回動駆動部１６２及びカバー部１７を任意の回動角度にて停止状態で維持する。
【００９３】
尚、本第２実施形態では、カバー部１７の停止状態をより確実に維持すべく、Ｏリングが用いられているが、回動駆動部１６２やカバー部１７の回動に係る円滑性を重視する場合には、Ｘリングを用いてもよい。本第２実施形態において、停止状態維持部１６３は、カバー部１７を複数種類の回動角度にて停止状態で維持可能な「非カバー状態維持手段」に相当する。
【００９４】
また、本第２実施形態において、停止状態維持部１６３は、取付孔配置部１６１ｂ内に対する水の浸入を防ぎ、当該取付孔配置部１６１ｂを通った漏水を防止する機能も備えている。
【００９５】
末端伝達部１６４は、伝達部材１５の端部に接続されており、伝達部材１５を介して操作部１４ａから伝えられた駆動力（操作力）を回動駆動部１６２へと伝達する。末端伝達部１６４は、凹部配置部１６１ａ内において往復移動可能な状態で設置されており、伝達部材１５の往復移動に伴い往復移動する。また、末端伝達部１６４は、その往復移動方向に沿って並んだ複数の歯を備えており、これら歯が歯車部１６２ａに噛合されている。これにより、操作部１４ａを往復移動させることで、伝達部材１５及び末端伝達部１６４が往復移動し、その結果、回動駆動部１６２が回動するようになっている。
【００９６】
チューブ保持部材１６５は、チューブ部材１８の一端部を保持しつつ、ケース部１６１に取付けられる部品である。チューブ保持部材１６５は、円筒状をなしており、自身の内周にてチューブ部材１８を保持した状態で取付孔配置部１６１ｂの内周に挿通されている。尚、チューブ保持部材１６５は、取付孔配置部１６１ｂの端部に取付けられた所定の抜止部材１６７によって、取付孔配置部１６１ｂからの抜止めが図られた状態となっている。
【００９７】
カバー部１７は、凹部１１８を覆い、凹部１１８の全部又は大部分（本第２実施形態では、大部分）を外部から隠れた状態（視認不能又は視認困難な状態）とするための部品である。カバー部１７は、図１２に示すように、カバー本体部１７１及び被連結部１７２を備えている。
【００９８】
カバー本体部１７１は、矩形板状をなしており、上述した凹部１１８を隠す役割を主に担う部位である。尚、本第２実施形態では、上記第１実施形態と異なり、カバー本体部１７１に脚部は設けられていないが、勿論、カバー本体部１７１に脚部を設けてもよい。
【００９９】
被連結部１７２は、カバー本体部１７１の端縁側中央部における裏面から一対突出形成されており、連結部１６２ｂが配置される連結用スリット１７２ａを備えている。そして、連結用スリット１７２ａに対し連結部１６２ｂが挿通されることにより、カバー部１７が連結部１６２ｂに対し回動不能な状態で連結されている。これにより、カバー部１７は、当該カバー部１７の外縁側に位置する回動軸（本実施形態では、回動駆動部１６２の回動軸）にて回動可能に支持された状態となっている。
【０１００】
また、本第２実施形態においても、連結用スリット１７２ａから連結部１６２ｂが引き抜かれるようにカバー部１７を移動させることで、特段の工具などを用いることなく、カバー部１７を連結部１６２ｂから取外可能となっている。従って、カバー部１７は、回動駆動部１６２に対し着脱自在となっている。
【０１０１】
さて、上記のように構成された排水構造１１においては、操作部１４ａが復動（上動）させられることで、カバー部１７が凹部１１８を覆う位置（凹部１１８の開口部をほぼ閉じる位置）に配置されて、当該凹部１１８の全部又は大部分を外部から隠れた状態である“カバー状態”（図８参照）とすることができる。本第２実施形態では、上記第１実施形態と同様、“カバー状態”において、カバー本体部１７１のうち、支持回動ユニット１６とは反対側に位置する外縁と、当該外縁に直交する平行な２つの外縁とが、第一垂下部１１３の内面に近接設置されるようになっており、凹部１１８を隠す機能がより効果的に発揮されるようになっている。
【０１０２】
また、“カバー状態”においては、カバー部１７の表面と基部１１１の表面（特にカバー部１７側に位置する面）とが略面一（ほぼ同じ高さ）となり、美観の向上が図られるようになっている（図９，１０参照）。
【０１０３】
さらに、“カバー状態”では、停止状態維持部１６３により、カバー部１７が停止状態で維持されるようになっている。そして、“カバー状態”では、カバー部１７と凹部形成部１１２とが接触しないように構成されている。
【０１０４】
加えて、“カバー状態”において、凹部１１８からカバー部１７が取外不可となるように、回動駆動部１６２（連結部１６２ｂ）や被連結部１７２（連結用スリット１７２ａ）が構成されている。
【０１０５】
一方、“カバー状態”においては、操作部１４ａを往動（下動）させることで、停止状態維持部１６３等で生じる摩擦力に抗して回動駆動部１６２が回動し、カバー部１７は、その回動軸とは反対側の外縁が上昇するようにして回動する。その結果、凹部１１８を覆う状態が解除されて、“カバー状態”から、凹部１１８の全部又は大部分（本第２実施形態では大部分）が外部から視認可能な状態である“非カバー状態”（図１２，１３参照）へと切換えることができる。尚、“非カバー状態”においても、停止状態維持部１６３により、カバー部１７を停止状態で維持することができる。
【０１０６】
また、“非カバー状態”から“カバー状態”への切換えは、操作部１４ａを復動させて、前記回動軸とは反対側の外縁が下降するようにカバー部１７を回動させることで行うことができる。尚、カバー部１７を直接操作することによっても、“非カバー状態”から“カバー状態”へと切換えることができる。
【０１０７】
加えて、本第２実施形態では、停止状態維持部１６３が設けられているため、操作部１４ａの停止位置ひいてはカバー部１７の停止角度を調節することで、“非カバー状態”において、カバー部１７を複数種類の回動角度にて停止状態で維持することが可能である。これにより、“非カバー状態”において、凹部形成部１１２及びカバー部１７間に形成される隙間の開放程度を複数の異なる程度で保つことが可能である。特に本第２実施形態において、カバー部１７の停止角度は段階的ではなく連続的に調節可能であり、前記開放程度を任意に調節可能となっている。また、本第２実施形態では、カバー部１７を操作対象としてカバー部１７の停止角度を調節することもできる。カバー部１７を操作対象とすることで、カバー部１７の停止角度をより細かく調節することが可能である。
【０１０８】
尚、本第２実施形態においても、上記第１実施形態と同様、“カバー状態”及び“非カバー状態”の双方において（“カバー状態”及び“非カバー状態”のいずれであっても）、凹部１１８へと排水が流入可能となっている。つまり、カバー部１７は、排水可能状態と排水不能状態とを切換えるといった機能を備えないものである。
【０１０９】
以上、本第２実施形態によれば、基本的には、上記第１実施形態と同様の作用効果が奏されることとなる。
【０１１０】
加えて、本第２実施形態では、操作部１４ａを操作することで、“カバー状態”又は“非カバー状態”へと切換えることができる。従って、“カバー状態”又は“非カバー状態”へと切換えるにあたって、汚れや異物の付着しやすいカバー部１７を直接触れずに済み、衛生性や安全性をより高めることができる。
【０１１１】
また、本第２実施形態によれば、停止状態維持部１６３によって、カバー部１７を複数種類の回動角度にて停止状態で維持可能とされている。従って、凹部形成部１１２及びカバー部１７間に形成される隙間の開放程度について、複数の異なる程度で保つことができる。これにより、例えば、若干の前記隙間が形成される状態でカバー部１７を停止させることにより、凹部１１８が外部から多少視認可能となるもののカバー部１７によって凹部１１８をある程度隠しつつ、凹部１１８へとごみ等や排水がより円滑に流れ込むようにすることや、美観をさほど損ねることなく、凹部１１８内を比較的乾燥しやすい状態で維持すること等が可能となる。そのため、“非カバー状態”におけるカバー部１７の回動角度を調節不能な構成と比べて、排水構造１１の使用方法に係る幅を広げることができる。その結果、使用者にとっての利便性を一段と向上させることができる。
【０１１２】
さらに、操作装置１４（操作部１４ａ）は、キッチンのカウンタ１１９に設けられているため、カバー部１７を操作対象とする場合と比べて、“カバー状態”又は“非カバー状態”への切換えに係る操作性をより向上させることができる。また、操作装置１４（操作部１４ａ）は、キッチンのカウンタ１１９という通常排水の至らない部位に設けられているため、衛生性や安全性を一層高めることができる。
〔第３実施形態〕
次いで、第３実施形態について、上記第２実施形態との相違点を中心に説明する。図１５に示すように、本第３実施形態において、異物捕集部１３は、収容部１３ａ及び載置鍔部１３ｂに加えて、アーム部１３ｃを備えている。
【０１１３】
アーム部１３ｃは、Ｕ字状をなしており、収容部１３ａや載置鍔部１３ｂに対し回動可能な状態で載置鍔部１３ｂに取付けられている。但し、アーム部１３ｃは、回動可能ではあるものの、水平に寝た状態とはならず、ある程度（例えば、水平面に対し３０°程度）だけ起きた状態（図１５にて示す状態）でその回動が規制されるように構成されている。また、アーム部１３ｃは、樹脂や金属からなる比較的細いものであって、弾性変形可能となっている。
【０１１４】
さらに、本第３実施形態において、カバー部１７（カバー本体部１７１）の裏面には、係止部１７１ａが設けられている。係止部１７１ａは、カバー本体部１７１の裏面（凹部１１８側の面）から下方に向けて突出形成されており、先端部（下端部）に前記アーム部１３ｃが係止される突起を備えている。尚、係止部１７１ａは、“カバー状態”において、収容部１３ａよりも上方に配置され、収容部１３ａ内に入らないように構成されている。
【０１１５】
そして、本第３実施形態においては、“カバー状態”から“非カバー状態”へと切換えるようにカバー部１７を回動させることで、係止部１７１ａの前記突起に係止されたアーム部１３ｃが上動する。その結果、図１６，１７に示すように、カバー部１７に連動して異物捕集部１３が持ち上げられた状態となり、持ち上げられた異物捕集部１３は、凹部１１８から容易に取外可能な状態となる。本第３実施形態では、係止部１７１ａによって、“非カバー状態”において異物捕集部１３（アーム部１３ｃ）が係止されることで、当該異物捕集部１３を持ち上げた状態で維持可能な「捕集部保持手段」が構成されている。
【０１１６】
加えて、本第３実施形態では、“非カバー状態”にて載置鍔部１３ｂを中間段部１１４に載置し、凹部１１８に異物捕集部１３を設置した状態（この状態では係止部１７１ａにアーム部１３ｃは係止されていない）において、“非カバー状態”から“カバー状態”へと切換えるべくカバー部１７を回動させたとき、アーム部１３ｃや係止部１７１ａが若干弾性変形して、アーム部１３ｃへと係止部１７１ａ（前記突起）が自然と係止されるように構成されている。従って、例えば異物捕集部１３の清掃後に、異物捕集部１３を凹部１１８に設置し、その後、“非カバー状態”から“カバー状態”へと切換えるべくカバー部１７を回動させると、係止部１７１ａ（前記突起）へとアーム部１３ｃが自然と係止される。そのため、次に“カバー状態”から“非カバー状態”へと切換えるべくカバー部１７を回動させたときには、カバー部１７に連動して異物捕集部１３が持ち上げられることとなる。
【０１１７】
以上、本第３実施形態によれば、基本的には、上記第２実施形態と同様の作用効果が奏されることとなる。
【０１１８】
加えて、本第３実施形態では、“カバー状態”から“非カバー状態”へと切換えるようにカバー部１７を回動させることで、カバー部１７に連動して異物捕集部１３を上昇させて持ち上げられた状態とすることができる。従って、異物捕集部１３に集積した異物の除去や異物捕集部１３の清掃などを行うときにおいて異物捕集部１３を凹部１１８の外へと取外したい場合、カバー部１７を回動させて“非カバー状態”とする必要があるが、本第３実施形態では、“非カバー状態”となるようにカバー部１７を回動させれば、自然と異物捕集部１３を凹部１１８の外へと取外しやすい状態とすることができる。これにより、異物捕集部１３の取外しが非常に容易となり、利便性をより一層向上させることができる。
【０１１９】
また、異物捕集部１３を取外す際に、使用者が当該異物捕集部１３の設置部位（本第３実施形態では中間段部１１４）やその周辺部に触れてしまうことをより確実に防止でき、より良好な衛生性や安全性を得ることができる。
【０１２０】
さらに、“非カバー状態”においては、係止部１７１ａによって、異物捕集部１３を持ち上げた状態（設置部位から浮かせた状態）で維持することができる。従って、カバー部１７や凹部形成部１１２、異物捕集部１３などを乾燥させたいときにおいて、カバー部４を“非カバー状態”として異物捕集部１３を浮かせることで、これらを乾燥させることが容易に可能となる。また、異物捕集部１３を排水構造１１の周囲などに置いて乾燥させる場合には、異物捕集部１３の置き場所を確保する必要があるが、本第３実施形態によれば、その必要がなくなるため、使用者にとっての利便性をより高めることができる。
【０１２１】
さらに、“非カバー状態”から“カバー状態”へと切換えるべくカバー部１７を回動させたとき、係止部１７１ａ（前記突起）へとアーム部１３ｃが自然と係止されるため、使用者が係止部１７１ａへとアーム部１３ｃを係止させる必要がなく、使用者にとっての利便性をより一層高めることができる。
【０１２２】
また、係止部１７１ａは、“カバー状態”において、収容部１３ａよりも上方に配置され、収容部１３ａ内に入らないようになっている。従って、係止部１７１ａが収容部１３ａに貯留された異物と接触することをより確実に防止でき、衛生性や清掃性をより一層高めることができる。
【０１２３】
尚、上記実施形態の記載内容に限定されず、例えば次のように実施してもよい。勿論、以下において例示しない他の応用例、変更例も当然可能である。
【０１２４】
（ａ）上記第２実施形態で説明した、操作装置１４や伝達部材１５を用いてカバー部１７を回動させる手法を、上記第１実施形態の構成に適用してもよい。例えば、図１８に示すように、回動駆動部３２の歯車部３２ａに対し、伝達部材１５に連結された末端伝達部３５が噛合されるように構成し、操作部１４ａの操作に伴い伝達部材１５及び末端伝達部３５が往復移動することで、カバー部４が回動するように構成してもよい。尚、本例では、装置を設置するための取付孔１０４ｂが中間段部１０４に貫通形成されているところ、図示は省略するが、当該取付孔１０４ｂを通った漏水を防止するためのシール部材が別途設置されている。
【０１２５】
（ｂ）上記実施形態においては、カバー部４，１７を回動させる際の操作対象として、操作部３３，１４ａが設けられているが、操作部を設けずに、カバー部自体がカバー部を回動させる際の操作対象となるように構成してもよい。
【０１２６】
（ｃ）上記実施形態では記載していないが、カバー部４を押圧する度に“カバー状態”又は“非カバー状態”に切換わるように構成してもよい。例えば、図１９に示すように、ラック３６、ばね３７、係合歯３８及び摺動歯３９を設けることで、カバー部４を押圧する度に“カバー状態”又は“非カバー状態”に切換わるように構成してもよい。尚、本例における回動駆動部３２は、上記第１実施形態とほぼ同様の構成を有するものであるが、切欠部３２ｂ，３２ｃを備えないものである。また、本例において、回動規制機構３４は設けられていない。
【０１２７】
ラック３６は、ケース部３１内にて往復移動可能に構成されるとともに、歯車部３２ａに噛合される。また、ラック３６の外周には、外側に突出する一対の突部を有する環状部品であるリング３６ａが回転可能な状態で配置される。ばね３７は、ラック３６に対し往動（下動）方向に付勢力を付与する。係合歯３８は、ラック３６の往復移動方向に沿って延びる複数の突条が相互に間隔をあけつつ周方向に沿って複数設けられてなる。係合歯３８の上端部は、リング３６ａの前記突起が係合可能とされており、また、各係合歯３８（突条）の間隔は、リング３６ａの前記突起が通過可能な大きさとされている。摺動歯３９は、ラック３６が復動（上動）した際に、リング３６ａの前記突部と接触することで、リング３６ａを所定量だけ回転させる。
【０１２８】
この例において、“カバー状態”では、ばね３７からラック３６に加わる付勢力によってリング３６ａの前記突部が係合歯３８の上端部に押し付けられて係合された状態とされる。これにより、ばね３７から加わる付勢力に抗してカバー部４は回動が規制された状態でロックされる（図１９参照）。本例において、ばね３７は、カバー部１７に対し“カバー状態”から“非カバー状態”へと切換える方向の付勢力を付与するものであり、「付勢手段」に相当する。一方、係合歯３８及びリング３６ａは、ばね３７から加わる付勢力に抗してカバー部４を回動が規制された状態でロックするものであり、「ロック手段」に相当する。
【０１２９】
そして、“カバー状態”において、カバー部４のうちその回動軸とは反対側に位置する表面が押圧されると、ラック３６が若干だけ復動（上動）して、リング３６ａの前記突部が摺動歯３９と接触する。これにより、リング３６ａが所定量だけ回転する。そして、カバー部４の表面に対する押圧が解除されると、リング３６ａが所定量だけ回転したことで、ばね３７から付勢力によって、リング３６ａの前記突部が各係合歯３８の間に落ち込んで、係合歯３８及びリング３６ａによるカバー部４のロックが解除されるとともに、ラック３６が往動（下動）する。その結果、回動駆動部３２及びカバー部４が回動して、“非カバー状態”へと切換えられる（図２０参照）。従って、本例では、カバー部４をロックする手段（係合歯３８及びリング３６ａ）に直接触れることなく、当該手段によるカバー部４のロックを解除可能となっている。
【０１３０】
尚、“非カバー状態”においては、カバー部４の前記表面を押して“非カバー状態”から“カバー状態”へと切換えることで、係合歯３８及びリング３６ａによって、カバー部４がロックされて、“カバー状態”が維持されることとなる。
【０１３１】
上記例のような構成によれば、カバー部４がロックされるため、意図せずカバー部４が回動して、“カバー状態”が解除されるといった事態をより確実に防止することができる。
【０１３２】
また、カバー部４のロックを解除することで、ばね３７から加わる付勢力によって、“カバー状態”から“非カバー状態”へと切換えることができる。従って、カバー部４に対し、“カバー状態”から“非カバー状態”へと切換えるための力を使用者が加えずに済む。これにより、“カバー状態”から“非カバー状態”へと一層容易に切換えることができ、使用者にとっての利便性をより一層向上させることができる。
【０１３３】
さらに、カバー部４を押圧することによって、カバー部４をロックする手段に直接触れることなく、当該手段によるカバー部４のロックを解除することができる。従って、カバー部４のロック解除を比較的容易に行うことができる。
【０１３４】
（ｄ）上記実施形態では、操作部３３，１４ａに加えられた操作力によって回動駆動部３２，１６２が回動するように構成されている。これに対し、モータ等の通電動作部を設けるとともに、操作部に対する操作を契機として、通電動作部にて生じる力によって回動駆動部が回動するように構成してもよい。
【０１３５】
また、ばね等の動力発生部を設けるとともに、操作部に対する操作を契機として、動力発生部にて生じる力によって回動駆動部が回動するように構成してもよい。この構成は、例えば、図２１，２２に示すような支持回動ユニット６を用いて実現することができる。
【０１３６】
支持回動ユニット６は、ケース部６１、回動駆動部６２、ばねカバー６３、動力発生部としてのコイルばね６４及び押圧動作部６５を備えている。ケース部６１は、複数の部品を組み合わせることで構成されており、回動駆動部６２における後述する連結部６２ａ以外の部位やばねカバー６３、コイルばね６４を内部にて収容した状態で、凹部形成部１０２に取付けられている。本例において、ケース部６１は、中間段部１０４に貫通形成された取付孔１０４ｂに挿通されつつ、その外周に所定のナット部材６６が螺合されることで、凹部形成部１０２に取付けられている。尚、図示は省略するが、取付孔１０４ｂを通った漏水を防止するためのシール部材が別途設置されている。また、ケース部６１の内部には、ばねカバー６３やコイルばね６４の一端部が取付けられる円柱状の一端側接続部６１ａが形成されている。
【０１３７】
回動駆動部６２は、ケース部６１によって回動可能な状態で支持されている。本例において、回動駆動部６２は、その回動軸方向に沿って２つの部品が直列的に連結されることにより構成されている。また、本例では、回動駆動部６２における一端部のみに、上記実施形態における連結部３２ｄ，１６２ｂと同様の構成を有する連結部６２ａが設けられており、当該連結部６２ａがカバー部４（一方の被連結部４２）と連結されている。尚、カバー部４における他方の被連結部４２は、ケース部６１により支持されている。一方、回動駆動部６２の他端部は、円柱状をなしており、ケース部６１によって支持されている。さらに、回動駆動部６２は、その径方向に沿ってその回動軸から前記一端側接続部６１ａとは反対側にずれた位置に、コイルばね６４の他端部が取付けられる円柱状の他端側接続部６２ｂを備えている。
【０１３８】
ばねカバー６３は、コイルばね６４の下方から側方にかけて設けられており、コイルばね６４の中心軸と直交する断面においてＬ字状をなしている。ばねカバー６３の一端部は、前記一端側接続部６１ａの中心軸を回動軸として、当該一端側接続部６１ａに対し回動可能な状態で取付けられている。
【０１３９】
コイルばね６４は、一端部が一端側接続部６１ａに取付けられ、他端部が他端側接続部６２ｂに取付けられており、自然長よりも伸長した状態で設置されている。“カバー状態”において、コイルばね６４は、回動駆動部６２の回動軸方向に見たときに、その中心軸が当該回動軸と重なるようになっている。これにより、“カバー状態”では、コイルばね６４からの付勢力による回動駆動部６２の回動が生じないようになっている。一方、回動駆動部６２の回動軸方向に見たときに、コイルばね６４の中心軸が当該回動軸からずれた状態となったときには、コイルばね６４から回動駆動部６２に加わる付勢力によって、当該回動駆動部６２が回動し得る。
【０１４０】
押圧動作部６５は、伝達部材１５の端部が接続されており、伝達部材１５の往復移動に伴い往復移動可能とされている。尚、本例において、伝達部材１５は、上記第２実施形態と同様に、操作部１４ａの往復移動に伴い往復移動するものである。押圧動作部６５は、その先端部によってばねカバー６３を押圧して当該ばねカバー６３を回動させる機能を有する。尚、押圧動作部６５の外周には、漏水防止のためのシール部材６５ａが設けられている。
【０１４１】
上記のように構成された支持回動ユニット６は、次のように動作する。すなわち、“カバー状態”（図２１参照）において、操作部１４ａを操作して伝達部材１５を往動させると、押圧動作部６５が往動（上動）し、その結果、押圧動作部６５によってばねカバー６３が上方に向けて押圧される。これにより、ばねカバー６３が一端側接続部６１ａを中心として回動する。また、ばねカバー６３に押されるようにして、コイルばね６４が同様に回動する。そして、コイルばね６４の回動に伴い、回動駆動部６２の回動軸方向に見たときに、コイルばね６４の中心軸が当該回動軸からずれた状態となることで、コイルばね６４からの付勢力によって回動駆動部６２が回動する。その結果、回動駆動部６２（連結部６２ａ）に連結されたカバー部４が回動して、“カバー状態”から“非カバー状態”（図２３参照）へと切換えられる。
【０１４２】
一方、“非カバー状態”においては、カバー部４の表面を押圧して、コイルばね６４から加わる付勢力に抗してカバー部４を回動させることで、“非カバー状態”から“カバー状態”に切換えることができる。尚、“非カバー状態”から“カバー状態”へと切換えることで、ばねカバー６３やコイルばね６４、押圧動作部６５等は元の状態に戻る。
【０１４３】
上記例のような構成によれば、操作部１４ａを利用して、“カバー状態”から“非カバー状態”へと切換えることができるため、良好な衛生性や安全性を得ることができる。
【０１４４】
また、コイルばね６４から加わる付勢力によって、“カバー状態”から“非カバー状態”へと切換えることができる。従って、カバー部４に対し、“カバー状態”から“非カバー状態”へと切換えるための力を使用者が加えずに済む。これにより、“カバー状態”から“非カバー状態”へと一層容易に切換えることができ、使用者にとっての利便性をより一層向上させることができる。
【０１４５】
尚、“カバー状態”又は“非カバー状態”へと切換える際において、カバー部４が所定位置を過ぎる前と、カバー部４が所定位置を過ぎた後とで、コイルばね６４から加わる付勢力による回動駆動部６２の動作（回動）方向が反転するように構成してもよい。そして、“カバー状態”において、カバー部４を“カバー状態”から“非カバー状態”へと切換える方向とは反対方向の付勢力が、コイルばね６４から回動駆動部６２へと加わるように構成してもよい。このように構成した場合には、“カバー状態”から“非カバー状態”へと容易に切換え可能としつつ、“カバー状態”をより確実に維持することができ、“非カバー状態”へと意図せず切換わることをより確実に防止できる。
【０１４６】
また、上記例では、“カバー状態”から“非カバー状態”へと切換える際に、押圧動作部６５の往動を契機として、主としてコイルばね６４からの付勢力によってカバー部４が回動するように構成されているが、主として操作部１４ａに対する操作に伴い押圧動作部６５からばねカバー６３等を介して回動駆動部６２に加わる力によってカバー部４が回動し、その際にコイルばね６４がカバー部４をより容易に回動させるためのアシスト力を回動駆動部６２へと付与する構成であってもよい。この場合には、操作部１４ａに加える操作力が比較的小さなものであっても、“カバー状態”から“非カバー状態”へと円滑に切換えることができ、操作性の向上を図ることができる。
【０１４７】
（ｅ）上記（ｄ）で挙げた構成に代えて、例えば、図２４に示すような支持回動ユニット７及びロック機構８を用いることで、操作部に対する操作を契機として、ばね等の動力発生部にて生じる力によって回動駆動部が回動するように構成してもよい。より詳しくは、操作部に対する操作を契機としてロック機構８によるロックが解除されることで、動力発生部にて生じる力によって回動駆動部が回動するように構成してもよい。
【０１４８】
支持回動ユニット７は、ケース部７１、回動駆動部７２、ラック７３、並びに、動力発生部及び「付勢手段」としてのコイルばね７４を備えている。
【０１４９】
ケース部７１は、回動駆動部７２の一部及びラック７３等を内部に収容した状態で、凹部形成部１０２に取付けられている。回動駆動部７２は、上記第１実施形態の回動駆動部３２とほぼ同様の構成を有するものであって歯車部７２ａを備えているが、上記第１実施形態と異なり、切欠部３２ｂ，３２ｃを備えないものである（本例では、回動規制機構３４も設けられていない）。回動駆動部７２は、上記第１実施形態と同様の構造によって、カバー部４を回動可能な状態で支持している。ラック７３は、ケース部７１内にて往復移動可能な状態で設けられており、歯車部７２ａに噛合されている。ラック７３の往復移動に伴いカバー部４が回動する。コイルばね７４は、圧縮状態で設けられており、ラック７３に対し往動（下動）方向の付勢力を付与する。これにより、カバー部４に対し、“カバー状態”から“非カバー状態”へと切換える方向の付勢力が付与される。
【０１５０】
ロック機構８は、排水管２の中心軸を挟んで支持回動ユニット７と相対向する位置に設けられており、機構ケース部８１及びスライドロック部８２を備えている。
【０１５１】
機構ケース部８１は、全体として円筒状をなしており、その一端部において径方向外側に突出形成された鍔部８１ａと、当該鍔部８１ａよりも他端側の外周に形成された雄ねじ部８１ｂとを備えている。そして、第一垂下部１０３に貫通形成された取付孔１０３ａに機構ケース部８１を挿通しつつ、雄ねじ部８１ｂを所定のナット部材８３の内周に螺合し、鍔部２１及びナット部材８３により第一垂下部１０３を挟み込むことで、機構ケース部８１ひいてはロック機構８が第一垂下部１０３に取付けられた状態となっている。尚、鍔部８１ａ及び第一垂下部１０３間には環状のシール部材８４が配置されており、当該シール部材８４によって、取付孔１０３ａを通った漏水の防止が図られている。
【０１５２】
スライドロック部８２は、機構ケース部８１内において水平方向に往復移動可能な状態で設置されている。スライドロック部８２は、伝達部材１５の端部が接続されており、伝達部材１５の往復移動に伴い往復移動可能とされている。スライドロック部８２の先端部には、環状のカバー被係止部８２ａが設けられている。カバー被係止部８２ａは、“カバー状態”において、カバー部４の裏面に突出形成されたロック用係止突部４３が係止される部位である。カバー被係止部８２ａに対しロック用係止突部４３が係止されることで、“カバー状態”において、コイルばね７４から加わる付勢力に抗してカバー部４を回動が規制された状態でロックすることができる。
【０１５３】
尚、本例において、伝達部材１５は、上記第２実施形態と同様に、操作部１４ａの往復移動に伴い往復移動するものである。但し、本例において、伝達部材１５には、図示しないばね等によって、スライドロック部８２を復動させる（スライドロック部８２を図２４における左方向に移動させる）ための力が付与されており、当該力が伝達部材１５を介してスライドロック部８２に対し付与されるようになっている。
【０１５４】
上記のように構成された支持回動ユニット７及びロック機構８は、次のように動作する。すなわち、“カバー状態”（図２４参照）において、操作部１４ａを操作（例えば押圧）して伝達部材１５を往動させると、スライドロック部８２が往動（図２４の右方向に移動）し、カバー被係止部８２ａに対するロック用係止突部４３の係止が解除される。これにより、ロック機構８によるカバー部４のロックが解除される。従って、本例では、ロック機構８に直接触れることなく、ロック機構８によるカバー部４のロックが解除される。そして、ロック解除に伴い、コイルばね７４からの付勢力によって、回動駆動部７２及びカバー部４が回動して、“カバー状態”から“非カバー状態”（図２５参照）へと切換えられる。尚、操作部１４ａに対する操作が解除されると、上述した図示しないばね等から加わる力により、伝達部材１５及びスライドロック部８２等は、復動して元の位置に戻る。
【０１５５】
一方、“非カバー状態”においては、カバー部４の表面を押圧して、コイルばね６４から加わる付勢力に抗してカバー部４を回動させることで、“非カバー状態”から“カバー状態”に切換えられる。“カバー状態”に切換えると、カバー被係止部８２ａにロック用係止突部４３が係止される。すなわち、ロック機構８によってカバー部４がロックされて、“カバー状態”が維持される。
【０１５６】
上記例のような構成によれば、上記（ｄ）で例示した構成による作用効果と同様の作用効果が奏されることとなる。すなわち、良好な衛生性や安全性を得ることができる。また、コイルばね７４から加わる付勢力によって“カバー状態”から“非カバー状態”へと切換えることができるため、“カバー状態”から“非カバー状態”へと一層容易に切換えることができ、使用者にとっての利便性をより一層向上させることができる。
【０１５７】
（ｆ）上記実施形態において、“カバー状態”では、カバー部４，１７と凹部形成部１０２，１１２とが接触しないように構成されている。これに対し、“カバー状態”において、カバー部の少なくとも一部が凹部形成部における所定部位（例えば中間段部）と接触し、当該部位によってカバー部が支持されるように構成してもよい。
【０１５８】
例えば、図２６，２７（尚、図２７では、“カバー状態”としたときにおける回動駆動部６２等を示す）に示すように、カバー部４（カバー本体部４１）の四隅に脚部４１ａを設けるとともに、中間段部１０４の四隅に受け部１０４ａを設け、“カバー状態”において脚部４１ａが受け部１０４ａと接触し、凹部形成部１０２（受け部１０４ａ）によってカバー部４が支持されるように構成してもよい。勿論、これは一例であって、必ずしも脚部４１ａ及び中間段部１０４（受け部１０４ａ）を設ける必要はなく、“カバー状態”においてカバー部の少なくとも一部が凹部形成部における所定部位と接触し、カバー部が支持される構成であればよい。
【０１５９】
尚、上記構成を実現するにあたっては、少なくとも“カバー状態”であるときに、カバー部４がこれを回動可能に支持する部位（本例では回動駆動部６２）に対し上下方向に移動可能となり、かつ、当該部位から浮いた状態となるように構成することが好ましい（図２８参照）。このように構成することで、“カバー状態”としたときに、カバー部４（脚部４１ａ）を凹部形成部１０２に対しより確実に接触させることができ、カバー部４をより安定した状態で支持することが可能となる。また、カバー部４が踏まれたとき等、カバー部４に下向きの負荷が加わったときに、カバー部４からこれを回動可能に支持する部位（回動駆動部６２）へと負荷が伝わることを防止でき、当該部位の破損や変形をより確実に防ぐことができる。
【０１６０】
尚、図２８では、“カバー状態”において、回動駆動部６２の回動軸方向に沿って見たとき、連結部６２ａにおける平行な二辺が鉛直方向に延びるように構成されているが、カバー部４がこれを回動可能に支持する部位に対し上下方向に移動可能となり、かつ、当該部位から浮いた状態となる限り、これら二辺の延びる方向を適宜変更してもよい。従って、例えば、前記二辺が鉛直方向に対し所定角度（例えば３０度以下）だけ傾いた方向に延びるように構成してもよい（この構成において、カバー部４はこれを回動可能に支持する部位に対し斜め上下方向に移動可能となる）。尚、スリット４２ａの角度については、連結部６２ａの構成に合わせて適宜変更してもよい。
【０１６１】
（ｇ）上記第２実施形態において、カバー部１７の停止角度は連続的に調節可能に構成されているが、カバー部の停止角度を段階的に調節可能に構成してもよい。例えば、“非カバー状態”において、凹部形成部及びカバー部間に形成される隙間が比較的大きく開放した状態と、前記隙間が比較的小さく開放した状態とが選択可能となるように、カバー部の停止角度を二段階で調節可能に構成してもよい。この構成は、例えば、上記第１実施形態における回動駆動部３２において、第一切欠部３２ｂ及び第二切欠部３２ｃ間に、これらと同様の切欠部を設けることで実現することができる。勿論、カバー部の停止角度を三段階以上の多段階で調節可能に構成してもよい。
【０１６２】
（ｈ）上記実施形態において、カバー部４，１７は、その外縁側における中央部にて回動可能に軸支されているが、軸支位置については限定されるものではなく、例えば、カバー部は、その外縁側における両端部にて回動可能に軸支されていてもよい。また、カバー部の形状は、凹部の形状などに合わせて適宜変更してもよい。
【０１６３】
（ｉ）上記第３実施形態において、係止部１７１ａは、“カバー状態”から“非カバー状態”へと切換えるようにカバー部１７を回動させたときに、カバー部１７に連動して異物捕集部１３を持ち上げる機能を備えているが、このような機能を備えないものであってもよい。すなわち、係止部として、上記機能を備えず、“非カバー状態”において異物捕集部１３が例えば手で持ち上げられて係止されることで、当該異物捕集部１３を持ち上げた状態で維持可能なものを設けてもよい。
【０１６４】
（ｊ）上記第３実施形態において、アーム部１３ｃは、ある程度（例えば、水平面に対し３０°程度）だけ起きた状態でその回動が規制されるように構成されている。これに対し、アーム部１３ｃを一方側に回動させたときに、当該アーム部１３ｃがある程度だけ起きた状態でその回動が規制される一方、アーム部１３ｃを他方側に回動させたときに、一方側に回動させたときと比べて当該アーム部１３ｃがより寝た状態（例えば水平に寝た状態）でその回動が規制されるように構成してもよい。このように構成した場合には、異物捕集部１３の配置向きを変更することで、カバー部１７に連動して異物捕集部１３が持ち上げられる状態、又は、カバー部１７に連動せず異物捕集部１３が持ち上げられない状態へと任意に切換えることができる。すなわち、使用者は、異物捕集部１３の配置向きを変更することだけで、上記各状態のうち使用者にとってより好ましい状態を選択することができ、この選択した状態で排水構造１１を利用することができる。従って、使用者にとっての利便性を一段と向上させることができる。
【０１６５】
（ｋ）上記実施形態では、“カバー状態”において、カバー部４，１７により凹部１０８，１１８の大部分が外部から隠れた状態となるように構成されているが、凹部の全部が外部から隠れた状態となるように構成してもよい。例えば、凹部の開口部よりも一回り大きなカバー部を凹部の外に配置しつつ、当該カバー部によって凹部の全部を覆うように構成してもよい。
【０１６６】
（ｌ）上記実施形態では、設置対象部として、洗い場パン１００及びシンク１１０を挙げているが、設置対象部はこれらに限定されるものではない。従って、例えば、浴槽や洗面器などを設置対象部としてもよい。
【０１６７】
（ｍ）上記実施形態における凹部形成部１０２，１１２の形状は一例であって、凹部形成部の形状を適宜変更してもよい。
【符号の説明】
【０１６８】
１，１１…排水構造、２，１２…排水管、４，１７…カバー部、８…ロック機構（ロック手段）、１３…異物捕集部、１４ａ，３３…操作部、３２，１６２…回動駆動部（回動支持部）、３４…回動規制機構（非カバー状態維持手段）、３６ａ…リング（ロック手段）、３７…ばね（付勢手段）、３８…係合歯（ロック手段）、７４…コイルばね（付勢手段）、１００…洗い場パン（設置対象部）、１０２，１１２…凹部形成部、１１０…シンク（設置対象部）、１０８，１１８…凹部、１７１ａ…係止部（捕集部保持手段）、１６３…停止状態維持部（非カバー状態維持手段）。
【要約】      （修正有）【課題】カバー状態又は非カバー状態へと容易に切換可能であるとともに、衛生性の向上を図ることができる排水構造を提供する。【解決手段】排水構造は、上方に向けて開口した凹部１０８を形成する凹部形成部と、凹部１０８を覆う位置に配置されることで凹部１０８の全部又は大部分が外部から隠れた状態であるカバー状態とすることが可能である一方、凹部１０８を覆う状態が解除されることで凹部１０８が外部から視認可能な状態である非カバー状態とすることが可能なカバー部４とを備える。カバー部４は、当該カバー部４の外縁側に位置する回動軸にて回動可能であり、カバー部４の回動によりカバー状態又は非カバー状態に切換可能とされる。カバー部を持ち上げて凹部に移動させたり凹部から外したりすることなく、カバー状態又は非カバー状態へと切換えることができるため、各状態へと容易に切換可能となる。【選択図】図５【図１】
0006856289.tif 000002
【図２】
0006856289.tif 000003
【図３】
0006856289.tif 000004
【図４】
0006856289.tif 000005
【図５】
0006856289.tif 000006
【図６】
0006856289.tif 000007
【図７】
0006856289.tif 000008
【図８】
0006856289.tif 000009
【図９】
0006856289.tif 000010
【図１０】
0006856289.tif 000011
【図１１】
0006856289.tif 000012
【図１２】
0006856289.tif 000013
【図１３】
0006856289.tif 000014
【図１４】
0006856289.tif 000015
【図１５】
0006856289.tif 000016
【図１６】
0006856289.tif 000017
【図１７】
0006856289.tif 000018
【図１８】
0006856289.tif 000019
【図１９】
0006856289.tif 000020
【図２０】
0006856289.tif 000021
【図２１】
0006856289.tif 000022
【図２２】
0006856289.tif 000023
【図２３】
0006856289.tif 000024
【図２４】
0006856289.tif 000025
【図２５】
0006856289.tif 000026
【図２６】
0006856289.tif 000027
【図２７】
0006856289.tif 000028
【図２８】
0006856289.tif 000029